(57)【要約】  押し型を用いて証券に金属エレメントを取り付ける方法であって、金属エレメントを、シートの金属層から形成して、有利には熱間型プレス加工法で証券に取り付ける方法において、偽造防止効果を高めるために、押し型（３）の、彫刻凹版（３２）として形成された押圧面（３１）を用いて金属エレメント（２）を取り付ける間に、刻印（２１）を金属エレメント（２）に取り付ける。
2008526566.tif 000002
【特許請求の範囲】
【請求項１】
押し型（３）を用いて証券（１）に金属エレメント（２）を取り付ける方法であって、
金属エレメント（２）を、箔の金属層から形成して、有利には熱間型プレス加工法で証券（１）に取り付ける方法において、
押し型（３）の、彫刻凹版（３２）として形成された押圧面（３１）を用いて金属エレメント（２）を取り付ける間に、刻印（２１）を金属エレメント（２）に取り付けることを特徴とする、証券に金属エレメントを取り付ける方法。
【請求項２】
請求項１記載の方法に従って製造可能な、金属エレメント（２）を備えた証券（１）において、
金属エレメント（２）が、精確に見当合わせされた刻印（２１）を有していることを特徴とする、金属エレメントを備えた証券。
【請求項３】
刻印（２１）が、２５μｍを下回る、特に１０μｍを下回る精度を有している、請求項２記載の証券。
【請求項４】
請求項１記載の方法のための押し型（３）において、
押圧面（３１）が、彫刻凹版（３２）として形成されていることを特徴とする、押し型。
【請求項５】
彫刻凹版（３２）が、硬質真鍮および／または硬質真鍮合金から成っている、請求項４記載の押し型。
【請求項６】
請求項４記載の押し型（１）を製造する方法において、
レーザを用いて、硬質真鍮および／または硬質真鍮合金から成る、彫刻凹版（３２）として形成された押圧面（３１）に、溝および／または線を形成することを特徴とする、押し型を製造する方法。
【請求項７】
溝および／または線を形成したあとで、溶融バリを除去する、請求項６記載の方法。
【請求項８】
溶融バリを、化学的な後処理によって、特に酸化浴、電解浴などによって除去する、請求項７記載の方法。
【請求項９】
酸化浴が、酢酸、リン酸および硝酸を含有していて、特に４０質量％の酢酸、５０質量％のリン酸および１０質量％の硝酸を含有している、請求項８記載の方法。
【請求項１０】
各溝および／または線の深さを設定し、かつ／または１群の溝および／または線を互いに無関係に設定する、請求項６から９までのいずれか１項記載の方法。
【発明の詳細な説明】
【技術分野】
【０００１】
本発明は、押し型を用いて証券に金属エレメントを取り付ける方法であって、金属エレメントを、箔の金属層から形成して、有利には熱間型プレス加工法で証券に取り付ける方法に関する。
【０００２】
国際公開第０２／２０２７４号パンフレットから、金属箔を証券に塗布して、後続のステップにおいて彫刻凹版印刷法で刻印を取り付けることが公知である。この場合の欠点によれば、特に彫刻凹版印刷法の間に証券が変形することによって見当合わせのずれの生じる恐れがある。国際公開第０２／２０２７４号パンフレットには、見当合わせのずれをカラーの領域によって隠蔽することが提案されている。
【０００３】
本発明の課題は、冒頭で述べたような形式の、証券に金属エレメントを取り付ける方法を改良して、公知の欠点を解消して、高い偽造防止効果の達成できる方法を提供することである。
【０００４】
この課題を解決するための本発明の方法によれば、押し型の、彫刻凹版として形成された押圧面を用いて金属エレメントを取り付ける間に、刻印を金属エレメントに取り付ける。
【０００５】
この方法の利点によれば、場合によって行われる後続の彫刻凹版印刷法を金属エレメントの刻印とは無関係に実施することができ、金属エレメントの位置の見当合わせのずれに関する予防措置が不要である。後続の彫刻凹版印刷法が行われない場合、本発明による方法によって、特に簡単に金属エレメントの刻印を実現することができる。金属エレメント上の刻印の精確な見当合わせは、簡単に検査することのできる、高い偽造防止効果を有する追加的な偽造防止要素を成す。
【０００６】
さらに本発明は、前述の方法に従って製造可能な、金属エレメントを備えた証券に関する。
【０００７】
国際公開第０２／２０２７４号パンフレットから、金属フィルムの塗布された証券において、金属箔に彫刻凹版印刷法で刻印を取り付けることが公知であり、ここでは見当合わせのずれは、カラーの領域によって隠蔽される。
【０００８】
本発明の課題は、冒頭で述べたような形式の証券を改良して、公知の欠点を解消して、高い偽造防止効果の達成されるものを提供することである。
【０００９】
この課題を解決するための本発明の装置によれば、金属エレメントが、正しい見当合わせの刻印を有している。
【００１０】
金属エレメント上の刻印の正しい見当合わせは、簡単に検査することのできる、高い偽造防止効果を有する追加的な偽造防止要素を成す。
【００１１】
本発明の有利な実施形態によれば、刻印が、２５μｍを下回る、特に１０μｍを下回る精度を有している。
【００１２】
大きな手間をかけずには再現できないようなこのような高い精度を維持することによって、偽造防止効果はさらに改善される。
【００１３】
さらに本発明は、冒頭で述べた方法のための押し型に関する。
【００１４】
本発明の別の課題は、冒頭で述べた方法を簡単かつ迅速に行うことのできる押し型を提供することである。
【００１５】
この課題を解決するための本発明の装置によれば、押圧面が、彫刻凹版として形成されている。
【００１６】
有利には、金属エレメントの刻印は、証券に取り付ける間に得られ、この場合、場合によっては存在する後続の彫刻凹版印刷法は、金属エレメントの刻印とは無関係に行うことができ、かつ金属エレメントの位置の見当合わせのずれに関する予防措置は不要である。
【００１７】
本発明の別の実施形態によれば、彫刻凹版が、硬質真鍮および／または硬質真鍮合金から成っている。このような材料選択によって、押し型の高い耐用期間が保証される。さらに本発明による方法では、押し型は、必要な精度で製造することができる。
【００１８】
さらに本発明は、前述の押し型を製造する方法に関する。
【００１９】
本発明の別の課題は、冒頭で述べた形式の、押し型を製造する方法を改良して、押し型を簡単かつ／または迅速に製造できるようにすることである。
【００２０】
この課題を解決するための本発明の方法によれば、レーザを用いて、硬質真鍮および／または硬質真鍮合金から成る、彫刻凹版として形成された押圧面に、溝および／または線を形成する。
【００２１】
その利点によれば、押圧面が、必要な強度を有しており、この場合押圧面の安定性は、特にクロムめっきによって追加的に高めることができる。
【００２２】
さらにレーザによって、押圧面に微細な構造を形成することができる。このような構造の精度は、溶融バリを除去するための後処理によってさらに改善することができる。別の利点によれば、線の深さは、それぞれ独立して選択することができ、これによって押し型を用いて製造可能な証券の偽造防止効果の向上が実現される。
【００２３】
本発明の別の方法によれば、溝および／または線を形成したあとで、溶融バリを除去する。これによって線および／または溝の精度は著しく高めることができ、したがって押し型の再現性および押し型の分解能が改善される。
【００２４】
これに関して本発明の別の方法によれば、溶融バリを、化学的な後処理によって、特に酸化浴、電解浴などによって除去する。化学的な後処理によって、溶融バリは、簡単かつ迅速に除去することができ、この場合所望の形式で溶融バリの酸化銅または酸化亜鉛だけが除去され、押圧面の材料は除去されない。
【００２５】
本発明の別の方法によれば、酸化浴が、酢酸、リン酸および硝酸を含有していて、特に４０質量％の酢酸、５０質量％のリン酸および１０質量％の硝酸を含有している。このような組成の酸化浴では、既に数分間の含浸処理で、押圧面の鏡面化および平滑化が達成され、この場合さらなる後処理ステップは不要である。
【００２６】
本発明の別の方法によれば、各溝および／または線の深さを設定し、かつ／または１群の溝および／または線の溝を互いに無関係に設定する。溝および／または線の深さの異なる選択によって、追加的な偽造防止要素を成すことができ、これによって押し型を用いて製造される証券の偽造防止効果を高めることができる。さらに本発明による押し型の別の実施形態では、全ての溝および／または線がほぼ同じ深さを有するよう保証され、これによって特に統一した刻印を保証することができる。
【００２７】
以下に図面につき、本発明の実施例を詳しく説明する。
【００２８】
図１には、本発明による、金属エレメント２を備えた証券１を示しており、金属エレメント２は、正しく見当合わせされた位置正確な刻印（型プレス加工部）２１を有している。一般的に証券１は、多数の偽造防止要素を有して形成されており、偽造防止要素によって、証券１の偽造認識が簡素化されるよう所望される。偽造防止要素の１つは、塗布された金属エレメント２である。正しく見当合わせされた刻印２１によって、簡単に検査できる追加的な偽造防止要素が形成される。この場合特に有利には、位置のずれは、多くの場合目視で極めて精確に確認することができる。したがってこのような追加的な偽造防止要素によって、偽造は、追加的な補助手段なしに世間一般で広く確認することもできる。
【００２９】
偽造では、刻印２１は、多くの場合印刷によって表示される。もちろんこのような印刷は、金属箔の塗布とは別に行われるので、精密な見当合わせの達成は極めて面倒であり、ほぼ不可能である。新しい証券１では、触知可能な刻印２１は、触れることによって簡単に印刷と区別することができる。頻繁に使用される証券１、たとえば紙幣（銀行券）では、刻印２１は、多くの場合触覚的に検出することは困難であり、この場合見当合わせ精度の認識はこのような証券１でも簡単に行うことができる。
【００３０】
有利には、刻印２１は、２５μｍ、特に１０μｍを下回る精度を有している。紙幣で一般的に要求されるこのような精度は、偽造者にとって到達することは極めて困難であり、これによって刻印２１は、偽造に対する高い安全性を有している。さらに金属エレメント２は、ホログラフィ構造または別の回折構造を有することができ、これによって証券１の偽造防止効果はさらに高められる。
【００３１】
このような高い精度は、彫刻凹版印刷によって達成することができ、ここでは極めて高い圧力で作業が行われ、これによって刻印２１が形成される。
【００３２】
本発明による証券１は、簡単な形式で製造することができ、金属エレメント２は、押し型（スタンプエレメント）３によって証券１に塗布され、ここでは金属エレメント２は、箔の金属層から形成されている。このことは特に熱間型プレス加工法で、図２および図３に示した押し型３を用いて行うことができ、この場合押し型３の、彫刻凹版３２として形成された押圧面（スタンプ面）３１によって金属エレメント２が取り付けられる間に、刻印２１が、金属エレメント２に取り付けられる。ここでは従来技術で行われたような、刻印２１を取り付けるための追加的な方法ステップは不要である。刻印２１は、空押し印として形成することもできる。
【００３３】
熱間型プレス加工法では、一般的に支持フィルムが用いられ、支持フィルム上に剥離ワニスが取り付けられていて、剥離ワニス上に金属層が取り付けられていて、金属層上に接着剤層が取り付けられている。この場合支持フィルムは、連続的な帯体として証券１に取り付けられる。高温の押し型３との接触によって、剥離ワニスおよび接着剤層は局所的に溶融され、印刷によって、金属エレメント２は証券１に転写される。この方法では、支持フィルムは損傷せずに維持され、この場合金属層から、金属エレメント２が、押圧面３１の形状で証券に取り付けられる。
【００３４】
証券１を製造するための押し型３は、彫刻凹版３２として形成された押圧面３１を有している。ここでは、彫刻凹版３２が有利な実施例に従って硬質真鍮および／または硬質真鍮合金から成っている場合、前述の精度で刻印２１を実現することができる。
【００３５】
押し型３を製作する際に、硬質真鍮および／または硬質真鍮合金から成る、彫刻凹版３２として形成された押圧面３１に、レーザによって溝および／または線を形成することができる。版の適当な強度を保証するために、硬質真鍮および／または硬質真鍮合金が１４０を超えるビッカーズ硬さを有していると有利である。
【００３６】
レーザとして、固定ベースモデルレーザ、有利にはダイオードポンピングのＮｄ：ＹＡＧレーザを用いることができる。
【００３７】
ビームプロフィール（ビーム形状）に基づいて、レーザビームは、円錐状に材料表面に侵入する。収束されたビームの縁域で溶融プロセスが生じ、溶融プロセスにより、材料の一部が固化して、不都合な放出および飛散が生じる恐れがある。縁域の放出の方式および大きさは、材料、パルス出力および彫刻深さに依存する。レーザによって、金属、セラミックおよび幾つかのプラスチックは彫刻することができ、この場合レーザビームの出力密度は高くなっていて、それも材料が加工中に数ナノ秒のうちに部分的に気化するほど高くなっている。材料内で、無色の溝、つまり彫刻部が生じる。多くの場合、空気酸素と溶融されたベース材料との相互作用によって、酸化物が生じ、酸化物は、その色に基づいて彫刻部を際立たせる。
【００３８】
溝および／または線の精度は、彫刻凹版３２に溝および／または線を形成する際に生じる溶融バリが除去されると、改善することができる。溶融バリは、主に彫刻凹版３２の酸化物、特に酸化銅または酸化亜鉛から成っている。
【００３９】
溶融バリを除去するために、特に酸化浴、電解浴などを含む化学的な後処理が特に適している。この場合酸化銅または酸化亜鉛は、化学的な後処理によって除去されるが、彫刻凹版３２の硬質真鍮および／または硬質真鍮合金は除去されないよう保証することができる。
【００４０】
化学的な後処理は、特に酸化浴などに彫刻凹版を浸すことによって行うことができ、酸化浴は、リン酸、酢酸、硝酸、ヒ酸などまたはこれらの酸の組み合わせを含有している。酢酸、リン酸および硝酸を含有する酸化浴が特に有利であり、この場合酸化浴は、特に４０質量％の酢酸、５０質量％のリン酸および１０質量％の硝酸を含有することができる。このような酸によって、彫刻凹版３２のベース材料の不都合な剥離は、効果的に回避することができる。溝および／または線を形成したあとで、かつ場合によっては溶融バリを除去したあとで、彫刻凹版３２の修正および／または制御を行うことができ、これによって場合によっては存在するエラー箇所を認識して、訂正することができる。
【００４１】
本発明による方法の有利な実施例では、溝および／または線の輪郭の他に、溝および／または線の深さも設定される。このことは各溝および／または線に関して個別的に行うか、または1群の溝および／または線に関してまとめて行うことができる。この場合個々の深さの設定は互いに依存していない。異なる深さは、本発明による方法では、レーザビームの出力調整によって、または複数回レーザを当てることによって簡単な形式で達成することができる。
【００４２】
最後に本発明を具体的にまとめると、本発明は、押し型（３）を用いて証券（１）に金属エレメント（２）を取り付ける方法であって、金属エレメント（２）を、箔の金属層から形成して、有利には熱間型プレス加工法で証券（１）に取り付ける方法において、押し型（３）の、彫刻凹版（３２）として形成された押圧面（３１）を用いて金属エレメント（２）を塗布する間に、刻印（２１）を金属エレメント（２）に取り付ける。
【００４３】
また本発明は、このような方法に従って製造可能な、金属エレメント（２）を備えた証券（１）において、金属エレメント（２）が、精確に見当合わせされた刻印（２１）を有している。
【００４４】
有利には、刻印（２１）が、２５μｍを下回る、特に１０μｍを下回る精度を有している。
【００４５】
また本発明は、前述の方法のための押し型（３）において、押圧面（３１）が、彫刻凹版（３２）として形成されている。
【００４６】
有利には、彫刻凹版（３２）が、硬質真鍮および／または硬質真鍮合金から成っている。
【００４７】
また本発明は、押し型（１）を製造する方法において、レーザを用いて、硬質真鍮および／または硬質真鍮合金から成る、彫刻凹版（３２）として形成された押圧面（３１）に、溝および／または線を形成する。
【００４８】
有利には、溝および／または線を形成したあとで、溶融バリを除去する。
【００４９】
有利には、溶融バリを、化学的な後処理によって、特に酸化浴、電解浴などによって除去する。
【００５０】
有利には、酸化浴が、酢酸、リン酸および硝酸を含有していて、特に４０質量％の酢酸、５０質量％のリン酸および１０質量％の硝酸を含有している。
【００５１】
有利には、各溝および／または線の深さを設定し、かつ／または１群の溝および／または線を互いに無関係に設定する。
【図面の簡単な説明】
【００５２】
【図１】本発明による証券の平面図である。
【図２】本発明による押し型の側面図である。
【図３】図２に示した押し型の平面図である。
【図１】
2008526566.tif 000003
【図２】
2008526566.tif 000004
【図３】
2008526566.tif 000005
【手続補正書】
【提出日】平成18年8月7日(2006.8.7)
【手続補正１】
【補正対象書類名】明細書
【補正対象項目名】全文
【補正方法】変更
【補正の内容】
【発明の詳細な説明】
【技術分野】
【０００１】
本発明は、押し型を用いて証券に金属エレメントを取り付ける方法であって、金属エレメントを、箔の金属層から形成して、有利には熱間型プレス加工法で証券に取り付ける方法に関する。
【０００２】
国際公開第０２／２０２７４号パンフレットから、金属箔を証券に塗布して、後続のステップにおいて彫刻凹版印刷法で刻印を取り付けることが公知である。この場合の欠点によれば、特に彫刻凹版印刷法の間に証券が変形することによって見当合わせのずれの生じる恐れがある。国際公開第０２／２０２７４号パンフレットには、見当合わせのずれをカラーの領域によって隠蔽することが提案されている。
【０００３】
国際公開第９３／２４３３２号パンフレットには、接着層を備えた金属エレメントを証券に塗布し、次いで刻印を付与する方法が記載されている。もちろん胴に取り付けられた適当な版は、対向ローラと協働する。したがって金属エレメントの刻印の精度に関して、前述の従来技術と同様の問題が生じる。
【０００４】
さらに米国特許第５７５９６８３号明細書から、ホログラフィ製品が公知であり、ここではフィルム基板に薄いワックス層が取り付けられており、ワックス層は、たとえば蒸着された金属層によって覆われており、金属層自体は、塗料層、たとえばアクリル塗料、ニトロセルロースまたは別のものによって覆われている。この塗料層は、別の層によって覆われており、別の層は、有利には同じ材料から成っているが、比較的小さな厚さを有しており、別の層自体は、熱接着層を支持している。このような構造体は、熱接着層によって記録基板に接着される。次いでフィルム基板に刻印が取り付けられ、この場合金属層も変形される。したがってこの公知の製品もしくはその製造においても、前述の問題が生じる。
【０００５】
本発明の課題は、冒頭で述べたような形式の、証券に金属エレメントを取り付ける方法を改良して、公知の欠点を解消して、高い偽造防止効果の達成できる方法を提供することである。
【０００６】
この課題を解決するための本発明の方法によれば、押し型の、彫刻凹版として形成された押圧面を用いて金属エレメントを取り付ける間に、刻印を金属エレメントに取り付ける。
【０００７】
この方法の利点によれば、場合によって行われる後続の彫刻凹版印刷法を金属エレメントの刻印とは無関係に実施することができ、金属エレメントの位置の見当合わせのずれに関する予防措置が不要である。後続の彫刻凹版印刷法が行われない場合、本発明による方法によって、特に簡単に金属エレメントの刻印を実現することができる。金属エレメント上の刻印の精確な見当合わせは、簡単に検査することのできる、高い偽造防止効果を有する追加的な偽造防止要素を成す。
【０００８】
さらに本発明は、前述の方法に従って製造可能な、金属エレメントを備えた証券に関する。
【０００９】
国際公開第０２／２０２７４号パンフレットから、金属フィルムの塗布された証券において、金属箔に彫刻凹版印刷法で刻印を取り付けることが公知であり、ここでは見当合わせのずれは、カラーの領域によって隠蔽される。
【００１０】
本発明の課題は、冒頭で述べたような形式の証券を改良して、公知の欠点を解消して、高い偽造防止効果の達成されるものを提供することである。
【００１１】
本発明によれば、この課題は、請求項２の特徴部に記載の構成を有する証券によって解決される。
【００１２】
金属エレメント上の刻印の正しい見当合わせは、簡単に検査することのできる、高い偽造防止効果を有する追加的な偽造防止要素を成す。
【００１３】
本発明の有利な実施形態によれば、刻印が、１０μｍを下回る精度を有している。
【００１４】
大きな手間をかけずには再現できないようなこのような高い精度を維持することによって、偽造防止効果はさらに改善される。
【００１５】
以下に図面につき、本発明の実施例を詳しく説明する。
【００１６】
図１には、本発明による、金属エレメント２を備えた証券１を示しており、金属エレメント２は、正しく見当合わせされた位置正確な刻印（型プレス加工部）２１を有している。一般的に証券１は、多数の偽造防止要素を有して形成されており、偽造防止要素によって、証券１の偽造認識が簡素化されるよう所望される。偽造防止要素の１つは、塗布された金属エレメント２である。正しく見当合わせされた刻印２１によって、簡単に検査できる追加的な偽造防止要素が形成される。この場合特に有利には、位置のずれは、多くの場合目視で極めて精確に確認することができる。したがってこのような追加的な偽造防止要素によって、偽造は、追加的な補助手段なしに世間一般で広く確認することもできる。
【００１７】
偽造では、刻印２１は、多くの場合印刷によって表示される。もちろんこのような印刷は、金属箔の塗布とは別に行われるので、精密な見当合わせの達成は極めて面倒であり、ほぼ不可能である。新しい証券１では、触知可能な刻印２１は、触れることによって簡単に印刷と区別することができる。頻繁に使用される証券１、たとえば紙幣（銀行券）では、刻印２１は、多くの場合触覚的に検出することは困難であり、この場合見当合わせ精度の認識はこのような証券１でも簡単に行うことができる。
【００１８】
有利には、刻印２１は、２５μｍ、特に１０μｍを下回る精度を有している。紙幣で一般的に要求されるこのような精度は、偽造者にとって到達することは極めて困難であり、これによって刻印２１は、偽造に対する高い安全性を有している。さらに金属エレメント２は、ホログラフィ構造または別の回折構造を有することができ、これによって証券１の偽造防止効果はさらに高められる。
【００１９】
このような高い精度は、彫刻凹版印刷によって達成することができ、ここでは極めて高い圧力で作業が行われ、これによって刻印２１が形成される。
【００２０】
本発明による証券１は、簡単な形式で製造することができ、金属エレメント２は、押し型（スタンプエレメント）３によって証券１に塗布され、ここでは金属エレメント２は、箔の金属層から形成されている。このことは特に熱間型プレス加工法で、図２および図３に示した押し型３を用いて行うことができ、この場合押し型３の、彫刻凹版３２として形成された押圧面（スタンプ面）３１によって金属エレメント２が取り付けられる間に、刻印２１が、金属エレメント２に取り付けられる。ここでは従来技術で行われたような、刻印２１を取り付けるための追加的な方法ステップは不要である。刻印２１は、空押し印として形成することもできる。
【００２１】
熱間型プレス加工法では、一般的に支持フィルムが用いられ、支持フィルム上に剥離ワニスが取り付けられていて、剥離ワニス上に金属層が取り付けられていて、金属層上に接着剤層が取り付けられている。この場合支持フィルムは、連続的な帯体として証券１に取り付けられる。高温の押し型３との接触によって、剥離ワニスおよび接着剤層は局所的に溶融され、印刷によって、金属エレメント２は証券１に転写される。この方法では、支持フィルムは損傷せずに維持され、この場合金属層から、金属エレメント２が、押圧面３１の形状で証券に取り付けられる。
【００２２】
証券１を製造するための押し型３は、彫刻凹版３２として形成された押圧面３１を有している。ここでは、彫刻凹版３２が有利な実施例に従って硬質真鍮および／または硬質真鍮合金から成っている場合、前述の精度で刻印２１を実現することができる。
【００２３】
押し型３を製作する際に、硬質真鍮および／または硬質真鍮合金から成る、彫刻凹版３２として形成された押圧面３１に、レーザによって溝および／または線を形成することができる。版の適当な強度を保証するために、硬質真鍮および／または硬質真鍮合金が１４０を超えるビッカーズ硬さを有していると有利である。
【００２４】
レーザとして、固定ベースモデルレーザ、有利にはダイオードポンピングのＮｄ：ＹＡＧレーザを用いることができる。
【００２５】
ビームプロフィール（ビーム形状）に基づいて、レーザビームは、円錐状に材料表面に侵入する。収束されたビームの縁域で溶融プロセスが生じ、溶融プロセスにより、材料の一部が固化して、不都合な放出および飛散が生じる恐れがある。縁域の放出の方式および大きさは、材料、パルス出力および彫刻深さに依存する。レーザによって、金属、セラミックおよび幾つかのプラスチックは彫刻することができ、この場合レーザビームの出力密度は高くなっていて、それも材料が加工中に数ナノ秒のうちに部分的に気化するほど高くなっている。材料内で、無色の溝、つまり彫刻部が生じる。多くの場合、空気酸素と溶融されたベース材料との相互作用によって、酸化物が生じ、酸化物は、その色に基づいて彫刻部を際立たせる。
【００２６】
溝および／または線の精度は、彫刻凹版３２に溝および／または線を形成する際に生じる溶融バリが除去されると、改善することができる。溶融バリは、主に彫刻凹版３２の酸化物、特に酸化銅または酸化亜鉛から成っている。
【００２７】
溶融バリを除去するために、特に酸化浴、電解浴などを含む化学的な後処理が特に適している。この場合酸化銅または酸化亜鉛は、化学的な後処理によって除去されるが、彫刻凹版３２の硬質真鍮および／または硬質真鍮合金は除去されないよう保証することができる。
【００２８】
化学的な後処理は、特に酸化浴などに彫刻凹版を浸すことによって行うことができ、酸化浴は、リン酸、酢酸、硝酸、ヒ酸などまたはこれらの酸の組み合わせを含有している。酢酸、リン酸および硝酸を含有する酸化浴が特に有利であり、この場合酸化浴は、特に４０質量％の酢酸、５０質量％のリン酸および１０質量％の硝酸を含有することができる。このような酸によって、彫刻凹版３２のベース材料の不都合な剥離は、効果的に回避することができる。溝および／または線を形成したあとで、かつ場合によっては溶融バリを除去したあとで、彫刻凹版３２の修正および／または制御を行うことができ、これによって場合によっては存在するエラー箇所を認識して、訂正することができる。
【００２９】
本発明による方法の有利な実施例では、溝および／または線の輪郭の他に、溝および／または線の深さも設定される。このことは各溝および／または線に関して個別的に行うか、または1群の溝および／または線に関してまとめて行うことができる。この場合個々の深さの設定は互いに依存していない。異なる深さは、本発明による方法では、レーザビームの出力調整によって、または複数回レーザを当てることによって簡単な形式で達成することができる。
【００３０】
最後に本発明を具体的にまとめると、本発明は、押し型（３）を用いて証券（１）に金属エレメント（２）を取り付ける方法であって、金属エレメント（２）を、箔の金属層から形成して、有利には熱間型プレス加工法で証券（１）に取り付ける方法において、押し型（３）の、彫刻凹版（３２）として形成された押圧面（３１）を用いて金属エレメント（２）を塗布する間に、刻印（２１）を金属エレメント（２）に取り付ける。
【００３１】
また本発明は、このような方法に従って製造可能な、金属エレメント（２）を備えた証券（１）において、金属エレメント（２）が、精確に見当合わせされた刻印（２１）を有している。
【００３２】
有利には、刻印（２１）が、２５μｍを下回る、特に１０μｍを下回る精度を有している。
【００３３】
また本発明は、前述の方法のための押し型（３）において、押圧面（３１）が、彫刻凹版（３２）として形成されている。
【００３４】
有利には、彫刻凹版（３２）が、硬質真鍮および／または硬質真鍮合金から成っている。
【００３５】
また本発明は、押し型（１）を製造する方法において、レーザを用いて、硬質真鍮および／または硬質真鍮合金から成る、彫刻凹版（３２）として形成された押圧面（３１）に、溝および／または線を形成する。
【００３６】
有利には、溝および／または線を形成したあとで、溶融バリを除去する。
【００３７】
有利には、溶融バリを、化学的な後処理によって、特に酸化浴、電解浴などによって除去する。
【００３８】
有利には、酸化浴が、酢酸、リン酸および硝酸を含有していて、特に４０質量％の酢酸、５０質量％のリン酸および１０質量％の硝酸を含有している。
【００３９】
有利には、各溝および／または線の深さを設定し、かつ／または１群の溝および／または線を互いに無関係に設定する。
【図面の簡単な説明】
【００４０】
【図１】本発明による証券の平面図である。
【図２】本発明による押し型の側面図である。
【図３】図２に示した押し型の平面図である。
【手続補正２】
【補正対象書類名】特許請求の範囲
【補正対象項目名】全文
【補正方法】変更
【補正の内容】
【特許請求の範囲】
【請求項１】
証券（１）に金属エレメント（２）を取り付ける方法であって、
金属エレメント（２）を、箔の金属層から形成して、有利には熱間型プレス加工法で証券（１）に取り付ける方法において、
押し型（３）の、彫刻凹版（３２）として形成された押圧面（３１）を用いて金属エレメント（２）を取り付ける間に、刻印（２１）を金属エレメント（２）に取り付けることを特徴とする、証券に金属エレメントを取り付ける方法。
【請求項２】
請求項１記載の方法に従って製造可能な、金属エレメント（２）を備えた証券（１）において、
金属エレメント（２）が、２５μｍを下回る精度で正しく見当合わせされた刻印（２１）を有していることを特徴とする、金属エレメントを備えた証券。
【請求項３】
金属エレメント（２）が、１０μｍを下回る精度で正しく見当合わせされた刻印（２１）を有している、請求項２記載の証券。
【国際調査報告】
2008526566.tif 000006
2008526566.tif 000007
2008526566.tif 000008
2008526566.tif 000009
2008526566.tif 000010
2008526566.tif 000011